(57)【要約】【課題】土中に埋め込む前の面状補強材を整姿する。【解決手段】先端部に面状補強材４の端末部に設けた環状部に挿入される連結パイプ６に当接するキャッチ部１６を設けたパイプ状のフレーム本体１７と、後端部をフレーム本体の後端より突出動可能にしてフレーム本体に摺動自在に嵌合され、後端部に上記面状補強材の列間リブ１１に係合するフック２２を設けてなる摺動フレーム１８と、フレーム本体に設けられ、上記摺動フレームをフレーム本体より伸長方向に駆動する伸長駆動装置２０とからなっている。【選択図】図３
2005188085.tif 000002
【特許請求の範囲】
【請求項１】
シート状で、かつ長孔を幅方向に多数設けた長孔列を長手方向に多数列設けてなり、長手方向一端部を環状に折り返してこの環状部に連結パイプを挿入し、また、環状部の折り返し部と他の部分とを長孔列相互を交差させてこの交差部にスペーサを挿入した面状補強材を連結パイプに対して長手方向に緊張する面状補強材の緊張機において、
先端部に上記連結パイプに当接するキャッチ部を設けたパイプ状のフレーム本体と、後端部をフレーム本体の後端より突出動可能にしてフレーム本体に摺動自在に嵌合され、後端部に上記面状補強材の列間リブに係合するフックを設けてなる摺動フレームと、フレーム本体に設けられ、上記摺動フレームをフレーム本体より伸長方向に駆動する伸長駆動装置とからなる
ことを特徴とする面状補強材の緊張機。
【請求項２】
伸長駆動装置が、摺動フレームに設けたラックと、このラックに噛み合わせてフレーム本体に回転自在に設けられるピニオンと、ピニオンに係脱可能に係合し、ピニオンの上記摺動フレームの短縮方向への回転を阻止する爪と、フレーム本体に回動自在に支持された回動レバーと、回動レバーに設けられ、この回動レバーの所定の回動範囲ではピニオンを摺動フレームの伸長方向に回転するようにピニオンの歯に係合し、その回動範囲を一方へ越えた回動位置でピニオンとの係合がはずれるようにしたクサビとからなることを特徴とする請求項１記載の面状補強材の緊張機。
【発明の詳細な説明】
【技術分野】
【０００１】
本発明は、積み重ねて擁壁を構成する各壁面材の背面側に連結して盛土内に埋め込む面状補強材を、壁面材に連結具を介して連結した状態で緊張して整姿する面状補強材の緊張機に関するものである。
【背景技術】
【０００２】
図１から図３は上記した面状補強材の使用状態を示すもので、図中１は擁壁を構成するための壁面材であり、この壁面材１の背面には上下方向に向けて連結ロッド２が設けてある。そしてこの連結ロッド２に、連結具３を介して面状補強材４が上下方向に移動可能に、かつ上下方向に回動可能に連結されている（例えば、特許文献１参照）。
【０００３】
上記面状補強材４は合成樹脂にて薄いシート状で、かつ図１に示すように、所定の長さの長孔５を幅方向に多数並べた長孔列５ａが長さ方向に多数列配置した構成になっている。
【０００４】
そしてこの面状補強材４の上記連結具３に対する連結側の端末部は環状に折り返し湾曲されていて、この環状部に挿入された連結パイプ６が上記連結具３に連結されている。
【０００５】
連結具３は、連結ロッド２に上下方向に摺動自在に連結するＵ形部材７と、このＵ形部材７の開放端部に設けた連結部材８に連結したブラケット９とからなっていて、このブラケット９が上記連結パイプ６に回動自在に連結されるようになっている。
【０００６】
ところで、上記面状補強材４の連結側の端末部は、上記したように連結パイプ６が挿入されるように環状に湾曲すると共に、さらにその折り返し部を環状部より下側へ長孔相互を貫通交差させ、この交差部の湾曲部にスペーサ１０を挿入して上記環状部の形状を保持するようにしている。
【０００７】
【特許文献１】特許第３２９５０６０号公報
【発明の開示】
【発明が解決しようとする課題】
【０００８】
面状補強材は上記したように合成樹脂にてシート状に形成されていて、可撓性を有してはいるものの、剛性をも有している。このため、上記のように環状に湾曲すると共に、交差部の湾曲部にスペーサ１０を挿入して端面処理された面状補強材は、環状部に連結パイプ６が、また湾曲部にスペーサ１０がなじまず、それぞれ隙間を有している状態となっており、このままでは、面状補強材の端部と壁面材の連結部との連結部にたるみができてしまい、面状補強材は壁面材に対する補強機能を発揮することができない。
【課題を解決するための手段】
【０００９】
本発明は上記のことに鑑みなされたもので、端末処理された面状補強材を連結パイプに対して緊張することができ、このように緊張することにより、面状補強材の連結具に対する連結部、及び中間部にたるみが生じることがないようにして土中に埋め込む前の面状補強材を整姿する面状補強材の緊張機を提供することを目的とするもので、その構成は、シート状で、かつ長孔を幅方向に多数設けた長孔列を長手方向に多数列設けてなり、長手方向一端部を環状に折り返してこの環状部に連結パイプを挿入し、また、環状部の折り返し部と他の部分とを長孔列相互を交差させてこの交差部にスペーサを挿入した面状補強材を連結パイプに対して長手方向に緊張する面状補強材の緊張機において、先端部に上記連結パイプに当接するキャッチ部を設けたパイプ状のフレーム本体と、後端部をフレーム本体の後端より突出動可能にしてフレーム本体に摺動自在に嵌合され、後端部に上記面状補強材の列間リブに係合するフックを設けてなる摺動フレームと、フレーム本体に設けられ、上記摺動フレームをフレーム本体より伸長方向に駆動する伸長駆動装置とからなる構成になっている。
【００１０】
そして、上記伸長駆動装置が、摺動フレームに設けたラックと、このラックに噛み合わせてフレーム本体に回転自在に設けられるピニオンと、ピニオンに係脱可能に係合し、ピニオンの上記摺動フレームの短縮方向への回転を阻止する爪と、フレーム本体に回動自在に支持された回動レバーと、回動レバーに設けられ、この回動レバーの所定の回動範囲ではピニオンを摺動フレームの伸長方向に回転するようにピニオンの歯に係合し、その回動範囲を一方へ越えた回動位置でピニオンとの係合がはずれるようにしたクサビとから構成されている。
【発明の効果】
【００１１】
本発明によれば、一端部が環状に折り返ししてこの環状部に連結パイプを挿入し、また、環状部の折り返し部と他の部分とを長孔列相互を交差させてこの交差部にスペーサを挿入したシート状の面状補強材を連結パイプに対して緊張することができ、このように緊張できることにより面状補強材の連結具に対する連結部、及び中間部にたるみが生じることがなくなり、面状補強材は、土中に埋め込む前に整姿されて、これの土中埋設状態での壁面材に対する補強機能を十分発揮することができる。
【００１２】
そして本発明に係る緊張機では、上記面状補強材の伸長作動を軽い力でもって容易に行うことができる。
【発明を実施するための最良の形態】
【００１３】
上記にて説明した図１から図３において、１５が本発明に係る緊張機であり、この緊張機１５は面状補強材４の幅に応じて複数台用いられる。
【００１４】
以下にこの緊張機１５の構成を図１から図３及び図４にて説明する。なお、図４は図２にて示した緊張機１５を拡大して示す側面図である。
【００１５】
緊張機１５は面状補強材４の上面に載せて用いるもので、連結パイプ６に当接するキャッチ部１６を先端部に設けた断面が四角形になっているパイプ状のフレーム本体１７と、このフレーム本体１７に摺動自在に、かつ後方へ向けて出没するように嵌合された摺動フレーム１８と、フレーム本体１７の後端部に固着されて上記摺動フレーム１８をカバーするカバーフレーム１９と、フレーム本体１７の後端部に設けられて上記摺動フレーム１８を後方へ、すなわち伸長方向へ駆動するための伸長駆動装置２０とからなっている。
【００１６】
上記伸長駆動装置２０はラチェット構成となっていて、図４において、回動レバー２０ａを、直立状態の（イ）位置からフレーム本体１７側の（ロ）位置に回動したときに上記摺動フレーム１７が伸長方向に寸動を行い、（ロ）位置から（イ）位置へはフリー動作となるようになっている。また、回動レバー２０ａを（イ）位置から摺動フレーム１８側の（ハ）位置まで回動した状態でラッチがはずれて摺動フレーム１８はフリー状態となるようになっている。
【００１７】
上記フレーム本体１７のキャッチ部１６の先端は連結パイプ６の周面に嵌合するように連結パイプ１６の半径と同径の円弧状になっている。また、摺動フレーム１８の後端下面には、これの摺動方向と直角状に横桟２１が固着してあり、この横桟２１の下側に面状補強材４の長孔５のピッチ間隔に、面状補強材４の列間リブ１１に係合する複数のフック２２が設けてある。またカバーフレーム１９の後端には、摺動フレーム１８の突出方向のストロークをきめるストッパ１９ａが設けてある。
【００１８】
摺動フレーム１８を伸長動作するための伸長駆動装置２０の詳細を図５以下に基づいて説明する。
【００１９】
摺動フレーム１８の上面にラック２３が長手方向に設けてある。このラック２３は図６に示されたように、摺動フレーム１８と一体状にして設けても良いが、別部材にして摺動フレーム１８に固着するようにしてもよい。フレーム本体１７の後端部には上側が開放され、また後側に上記摺動フレーム１８の摺動に干渉しない開放部を設けた第１ブラケット２４が固着されている。そしてこの第１ブラケット２４の後端部に上記カバーフレーム１９が固着されている。
【００２０】
第１ブラケット２４の両側には一対の第２ブラケット２６ａ，２６ｂが固着されており、この両第２ブラケット２６ａ，２６ｂに上記ラック２３に噛み合うピニオン２７を支持する軸２８の両端部が支持されている。この軸２８の第２ブラケット２６ａ，２６ｂより突出する部分がナット２９，２９にて固定されている。軸２８には回動レバー２０ａの先端部に二股状に設けたヨーク部材３１が回動自在に支持されている。そして上記ピニオン２７はこのヨーク部材３１の両ヨーク片の内側に配置されている。ピニオン２７は、図５において左回転することにより摺動フレーム１８が伸長動作され、右回転することにより摺動フレーム１８が短縮動作するもので、以下このピニオン２７の左右の回転方向を伸長動作方向回転と短縮動作方向回転という。
【００２１】
回動レバー２０ａの先端部に設けたヨーク部材３１には上記ピニオン２７の歯先円より外側で、かつフレーム本体１７側へずれた位置にクサビ軸用穴３２が両ヨーク片を貫通して設けてあり、このクサビ軸用穴３２にクサビ軸３３が回転自在に嵌合されている。クサビ軸３３は両ヨーク片のクサビ軸用穴３２，３２に嵌合する部分が円筒状に形成された軸部３３ａ，３３ｂとなっており、この両軸部３３ａ，３３ｂの間の部分にクサビ３３ｃが設けてあり、また、一方の第２ブラケット２６ａ側に突出する部分に突出部３３ｄが、さらに他方の第２ブラケット２６ｂ側に突出する部分にカム３３ｅが設けてある。
【００２２】
上記クサビ３３ｃは断面形状が略半月状になっていると共に、その一部が、ピニオン２７の伸長動作回転方向の歯の背面にこれの円弧面が当接するようにして歯と歯の間に入るようになっている。
【００２３】
カム３３ｅは上記クサビ３３ｃと略同一形状で、かつ回転方向に同一位相位置となっている。
【００２４】
突出部３３ｄには、クサビ軸３３を、上記クサビ３３ｃの円弧面がピニオン２７の歯の背面に当接する方向に付勢するねじりばね３４が、一端を一方のヨーク片に、他端を突出部３３ｄに係止して嵌合されている。
【００２５】
一対の第２ブラケット２６ａ，２６ｂのうち、上記クサビ軸３３のねじりばね３４に対応する一方の第２ブラケット２６ａには、回動レバー２０ａを（ハ）位置まで回動したときに、上記ねじりばね３４が干渉しないように切欠け３５が設けてある。また、他方の第２ブラケット２６ｂには、回動レバー２０ａを（ハ）位置まで回動したときに、カム３３ｅに当接してクサビ軸３３をクサビ３３ｃがピニオン２７の歯から抜け出る方向に回転させるカム接触面３６が設けてある。
【００２６】
上記第１ブラケット２４には、ピニオン２７の位置より摺動フレーム１８側に支軸３７が設けてあり、この支軸３７に上記ピニオン２７の歯に係脱する爪３８が回動自在に、かつコイルばね３９にて爪先３８ａがピニオン２７側へ付勢するようにして支持されている。爪３８の爪先３８ａはピニオン２７の伸長回転方向への回転では歯から逃がされ、短縮方向への回転を阻止するような形状になっている。また、爪３８には、回動レバー２０ａを（ハ）位置まで回動したときにヨーク部材３１の一部に当接してこの爪３８が、これの爪先３８ａがピニオン２７からはずれる方向に回動されるためのヨーク当接部３８ｂが設けてある。４０は回動レバー２０ａの（ハ）位置方向への回動限を設定するストッパで、これは、第１ブラケット２４に設けてある。
【００２７】
上記構成において、伸長駆動装置２０は、これの回動レバー２０ａを（ハ）位置まで回動すると図８に示すようになり、この回動レバー２０ａにより爪３８がコイルばね３９に抗して回動されて、これの爪先３８ａがピニオン２７の歯からはずれる。また、回動レバー２０ａの（ハ）位置まで回動により、図９に示すように、カム３３ｅがカム接触面３６に案内されて回動し、クサビ３３ｃがピニオン２７の歯からはずれる。これによりピニオン２７は自由回転可能になり、摺動フレーム１８はフレーム本体１７に対して出没自由となる。
【００２８】
回動レバー２０ａを（イ）位置にすると図７に示すようになり、カム３３ｅが接触面３６からはずれ、クサビ軸３３はねじりばね３４にて付勢されて、これのクサビ３３ｃがピニオン２７の歯の間に入り、回動レバー２０ａは、これの（ロ）位置方向への回動方向にピニオン２７と上記クサビ３３ｃを介して係合され、この状態で回動レバー２０ａを（ロ）方向へ回動することによりピニオン２７は伸長動作方向に回転されて摺動フレーム１８がこのピニオン２７の回動角に応じて伸長方向へ移動される。このとき爪３８の爪先３８ａがピニオン２７の歯に係合しているが、ピニオン２７はこの爪３８を押し上げて回転される。
【００２９】
回動レバー２０ａが（ロ）位置から（イ）位置までの回動するときには、ピニオン２７の短縮動作方向の回転が爪３８にて阻止されるので、クサビ３３ｃはねじりばね３４に抗してピニオン２７の歯から抜け出る方向に回動し、ピニオン２７が停止された状態で回動レバー２０ａが（イ）位置に回転される。
【００３０】
以上のように、回動レバー２０ａを（イ）位置と（ロ）位置との間で往復回動することにより、回動レバー２０を（イ）位置から（ロ）位置までの回動によるピニオン２７の回動角に応じた距離だけ摺動フレーム１８は伸長方向に寸動される。また、回動レバー２０ａを（ハ）位置にすることにより摺動フレーム１８はフレーム本体１７に対して自由状態となる。
【００３１】
次に上記のように構成された緊張機１５の使用状態を説明する。
【００３２】
まず図１に示すように、緊張機１５を、これにキャッチ部１６を連結パイプ６に当接させて面状補強材４の上面に載置する。ついで伸長駆動装置２０の回動レバー２０ａを（ハ）位置まで回動して摺動フレーム１８を自由状態にし、この摺動フレーム１８を伸長してこれのフック２２を面状補強材４の列間リブ１１に係合する。
【００３３】
この状態で、回動レバー２０ａを（イ）位置と（ロ）位置にわたって往復動することにより摺動フレーム１８は伸長動され、従ってフック２２にて面状補強材４の列間リブ１１が連結パイプ６から離れる方向に押される。これにより、面状補強材４は連結パイプ６に対して長手方向に緊張され、この面状補強材４の連結パイプ６が嵌挿される環状部、スペーサ１０を挿入する湾曲部のそれぞれが連結パイプ６及びスペーサ１０になじむ形状になると共に、長手方向が平面状に整姿される。
【００３４】
上記作用において、ピニオン２７を回動レバー２０ａにて回転駆動することにより、この伸長駆動装置２０の回動レバー２０ａによる作動力は比較的小さくてよい。
【００３５】
上記のようにして面状補強材４の整姿作動が終了したら、回動レバー２０ａを（ハ）位置にして摺動フレーム１８をフリー状態とし、この摺動フレーム１８をフレーム本体１７側へ引き込み、これのフック２２を面状補強材４の列間リブ１１からはずして面状補強材４より緊張機１５をはずす。
【図面の簡単な説明】
【００３６】
【図１】面状補強材の使用状態と本発明に係る緊張機の使用状態を示す平面図である。
【図２】図１に示した構成の側面図である。
【図３】図１に示した構成の後面図である。
【図４】本発明に係る緊張機を示す側面図である。
【図５】伸長駆動装置部を示す側面図である。
【図６】図５のＡ−Ｂ−Ｃ−Ｄ−Ｅ線に沿う矢視断面図である。
【図７】図６のＦ−Ｇ線に沿う矢視断面図で、伸長作動状態を示す。
【図８】図６のＦ−Ｇ線に沿う矢視断面図で、摺動フレームの自由状態を示す。
【図９】図６のＨ−Ｉ線に沿う矢視断面図で、摺動フレームが自由状態でのカムの様子を示す。
【符号の説明】
【００３７】
１…壁面材、２…連結ロッド、３…連結具、４…面状補強材、５…長孔、５ａ…長孔列、６…連結パイプ、７…Ｕ形部材、８…連結部材、９…ブラケット、１０…スペーサ、１１…列間リブ、１５…緊張機、１６…キャッチ部、１７…フレーム本体、１８…摺動フレーム、１９…カバーフレーム、１９ａ…ストッパ、２０…伸長駆動装置、２０ａ…回動レバー、２１…横桟、２２…フック、２３…ラック、２４…第１ブラケット、２６ａ，２６ｂ…第２ブラケット、２７…ピニオン、２８…軸、２９…ナット、３１…ヨーク部材、３２…クサビ軸用穴、３３…クサビ軸、３３ａ，３３ｂ…軸部、３３ｃ…クサビ、３３ｄ…突出部、３３ｅ…カム、３４…ねじりばね、３５…切欠け、３６…カム接触面、３７…支軸、３８…爪、３８ａ…爪先、３９…コイルばね、４０，４１…ストッパ。
【図１】
2005188085.tif 000003
【図２】
2005188085.tif 000004
【図３】
2005188085.tif 000005
【図４】
2005188085.tif 000006
【図５】
2005188085.tif 000007
【図６】
2005188085.tif 000008
【図７】
2005188085.tif 000009
【図８】
2005188085.tif 000010
【図９】
2005188085.tif 000011